【手続補正書】
【提出日】平成27年3月9日(2015.3.9)
【手続補正１】
【補正対象書類名】特許請求の範囲
【補正対象項目名】全文
【補正方法】変更
【補正の内容】
【特許請求の範囲】
【請求項１】
有線通信と無線通信とで通信が可能であるとともに、その少なくともいずれかを用いて制御装置と通信する通信装置であって、
有線通信が切断状態から接続状態となったことを検出する検出手段と、
前記接続状態の検出に応じて、前記無線通信のパラメータを変更するための要求を、前記制御装置へ送信する送信手段と、
変更されたパラメータに関する通知を前記制御装置から受信する受信手段と、
前記通知を受信したことに応じて、前記変更されたパラメータに基づいて、前記通信装置における前記無線通信のパラメータを更新する更新手段と、
を有することを特徴とする通信装置。
【請求項２】
前記無線通信でデータを送信する際の送信速度を測定する測定手段をさらに有し、
前記送信手段は、第１の時点での送信速度を、前記第１の時点より前の第２の時点での送信速度から減じた速度差が所定値以上である場合、前記接続状態の検出に応じて前記要求を前記制御装置へ送信する、
ことを特徴とする請求項１に記載の通信装置。
【請求項３】
前記第１の時点での送信速度および前記第２の時点での送信速度は、前記第１の時点と前記第２の時点とをそれぞれ含む所定期間における平均送信速度である、
ことを特徴とする請求項２に記載の通信装置。
【請求項４】
前記通信装置の周囲に存在する無線通信装置を検知する検知手段をさらに有し、
前記送信手段は、第１の時点での検知結果における前記無線通信装置の数が、前記第１の時点より前の第２の時点での検知結果における前記無線通信装置の数と比べて、所定数以上増加した場合、前記接続状態の検出に応じて前記要求を前記制御装置へ送信する、
ことを特徴とする請求項１に記載の通信装置。
【請求項５】
前記無線通信でデータを送信した時刻を記録する記録手段をさらに有し、
前記送信手段は、データを送信した時刻と、その前のデータを送信した時刻との時間間隔が所定値以上である場合、前記接続状態の検出に応じて前記要求を前記制御装置へ送信する、
ことを特徴とする請求項１に記載の通信装置。
【請求項６】
前記パラメータの変更の可否を確認する確認手段をさらに有し、
前記送信手段は、前記パラメータの変更が可能でない場合は、前記要求を送信しない、
ことを特徴とする請求項１から５のいずれか１項に記載の通信装置。
【請求項７】
前記通信装置の電源が投入された時に前記有線通信が切断状態にあった場合に、前記パラメータの変更が可能と決定する決定手段をさらに有する、
ことを特徴とする請求項６に記載の通信装置。
【請求項８】
前記送信手段は、前記制御装置へ前記パラメータの変更の可否を問い合わせる信号を送信し、
前記受信手段は、前記制御装置から前記問い合わせへの応答を受信し、
前記確認手段は、前記応答により、前記パラメータの変更の可否を確認する、
ことを特徴とする請求項６に記載の通信装置。
【請求項９】
前記パラメータは、使用周波数帯域、使用周波数帯域幅、ガードインターバル長の少なくともいずれかである、ことを特徴とする請求項１から８のいずれか１項に記載の通信装置。
【請求項１０】
前記接続状態の検出に応じて、前記無線通信を切断し、前記有線通信で通信を行うことを特徴とする請求項１から９のいずれか１項に記載の通信装置。
【請求項１１】
前記パラメータの変更が成功したかを判定する判定手段をさらに有し、
前記接続状態を検出した場合であって、前記パラメータの変更が成功した場合に、前記無線通信を切断する、ことを特徴とする請求項１０に記載の通信装置。
【請求項１２】
前記送信手段による前記要求の送信は、前記有線通信によって行われることを特徴とする請求項１から１１のいずれか１項に記載の通信装置。
【請求項１３】
前記制御装置と前記通信装置との間の前記無線通信は、当該無線通信のための無線ネットワークを構築するアクセスポイントを介して行われることを特徴とする請求項１から１２のいずれか１項に記載の通信装置。
【請求項１４】
前記制御装置は、前記通信装置との間で行われる前記無線通信のための無線ネットワークを構築するアクセスポイントであることを特徴とする請求項１から１２のいずれか１項に記載の通信装置。
【請求項１５】
制御装置と、有線通信と無線通信とで通信が可能であるとともに、その少なくともいずれかを用いて前記制御装置と通信を行う通信装置とを有する通信システムであって、
前記通信装置が、
有線通信が切断状態から接続状態となったことを検出する検出手段と、
前記接続状態の検出に応じて、前記無線通信のパラメータを変更するための要求を、前記制御装置へ送信する送信手段と、
変更されたパラメータに関する通知を前記制御装置から受信する受信手段と、
前記通知を受信したことに応じて、前記変更されたパラメータに基づいて、前記通信装置における前記無線通信のパラメータを更新する更新手段と、を有し、
前記制御装置が、
前記要求を受け付ける受付手段と、
前記要求に応じて、前記無線通信のパラメータを変更する変更手段と、
変更した後の前記無線通信のパラメータを前記通信装置へ通知する通知手段と、
を有することを特徴とする通信システム。
【請求項１６】
前記変更手段は、前記パラメータに関する複数の設定ファイルから、現時点で使用している設定ファイルと異なる設定ファイルを選択し、その選択した設定ファイルに応じて、前記パラメータを変更する、
ことを特徴とする請求項１５に記載の通信システム。
【請求項１７】
有線通信と無線通信とで通信が可能であるとともに、その少なくともいずれかを用いて制御装置と通信する通信装置における制御方法であって、
検出手段が、有線通信が切断状態から接続状態となったことを検出する検出工程と、
送信手段が、前記接続状態の検出に応じて、前記無線通信のパラメータを変更するための要求を、前記制御装置へ送信する送信工程と、
受信手段が、変更されたパラメータに関する通知を前記制御装置から受信する受信工程と、
更新手段が、前記通知を受信したことに応じて、前記変更されたパラメータに基づいて、前記通信装置における前記無線通信のパラメータを更新する更新工程と、
を有することを特徴とする制御方法。
【請求項１８】
制御装置と、有線通信と無線通信とで通信が可能であるとともに、その少なくともいずれかを用いて前記制御装置と通信を行う通信装置とを有する通信システムにおける制御方法であって、
前記通信装置の検出手段が、有線通信が切断状態から接続状態となったことを検出する検出工程と、
前記通信装置の送信手段が、前記接続状態の検出に応じて、前記無線通信のパラメータを変更するための要求を、前記制御装置へ送信する送信工程と、
前記制御装置の受付手段が、前記要求を受け付ける受付工程と、
前記制御装置の変更手段が、前記要求に応じて、前記無線通信のパラメータを変更する変更工程と、
前記制御装置の通知手段が、変更した後の前記無線通信のパラメータを前記通信装置へ通知する通知工程と、
前記通信装置の受信手段が、変更されたパラメータに関する通知を前記制御装置から受信する受信工程と、
前記通信装置の更新手段が、前記通知を受信したことに応じて、前記変更されたパラメータに基づいて、前記通信装置における前記無線通信のパラメータを更新する更新工程と、
を有することを特徴とする制御方法。
【請求項１９】
コンピュータを請求項１から１４のいずれか１項に記載の通信装置が備える各手段として機能させるためのプログラム。
【手続補正２】
【補正対象書類名】明細書
【補正対象項目名】０００６
【補正方法】変更
【補正の内容】
【０００６】
上記目的を達成するため、本発明による通信装置は、有線通信と無線通信とで通信が可能であるとともに、その少なくともいずれかを用いて制御装置と通信する通信装置であって、有線通信が切断状態から接続状態となったことを検出する検出手段と、前記接続状態の検出に応じて、前記無線通信のパラメータを変更するための要求を、前記制御装置へ送信する送信手段と、変更されたパラメータに関する通知を前記制御装置から受信する受信手段と、前記通知を受信したことに応じて、前記変更されたパラメータに基づいて、前記通信装置における前記無線通信のパラメータを更新する更新手段と、を有する。